(57)【要約】【課題】部品点数が少なく、構造が簡素であり、そのうえ、上部および下部水平框を共通化できる引き戸の振れ止め具を提供することである。【解決手段】引き戸の本体の周囲を取り囲む垂直框と、水平框とで構成され、鴨居のガイド溝に嵌め込まれる引き戸上縁の角において、当該水平框の開口端に少なくとも一部が挿入される水平支持部と、当該垂直框の上部開口端に挿入される垂直支持部とを備えた基部からなり、前記鴨居のガイド溝の側面と引き戸上縁との間隙をなくし、かつ引き戸の振動エネルギーを吸収するための防振手段が前記基部に設けられてなることを特徴としている。【選択図】図１
0003113199.tif 000002
【実用新案登録請求の範囲】
【請求項１】
引き戸の本体の周囲を取り囲む垂直框と、水平框とで構成され、鴨居のガイド溝に嵌め込まれる引き戸上縁の角において、当該水平框の開口端に少なくとも一部が挿入される水平支持部と、当該垂直框の上部開口端に挿入される垂直支持部とを備えた基部からなり、
前記鴨居のガイド溝の側面と引き戸上縁との間隙をなくし、かつ引き戸の振動エネルギーを吸収するための防振手段が前記基部に設けられてなる
ことを特徴とする引き戸の振れ止め具。
【請求項２】
前記防振手段が前記鴨居のガイド溝の側面に向かって延びるバネである請求項１記載の振れ止め具。
【請求項３】
前記バネが基部と一体的に形成されてなる請求項２記載の振れ止め具。
【請求項４】
前記バネ部が板バネである請求項３記載の振れ止め具。
【請求項５】
前記基部がプラスチック製である請求項１、２、３または４記載の振れ止め具。
【請求項６】
前記バネ部が引き戸の表側および裏側に１つずつ設けられてなる請求項４または５記載の振れ止め具。
【請求項７】
前記バネ部が引き戸の表側および裏側に複数個ずつ設けられてなる請求項４または５記載の振れ止め具。
【考案の詳細な説明】
【技術分野】
【０００１】
本考案は引き戸の振れ止め具に関する。さらに詳しくは、鴨居のガイド溝の側面と引き戸上縁との間隙をなくし、かつ引き戸の振動エネルギーを吸収するための防振手段を備えた引き戸の振れ止め具に関する。本考案でいう「引き戸」とは、襖や障子を含む概念である。
【背景技術】
【０００２】
室内ドアの開閉に伴い、室内に気圧変化や風圧の乱れが生じて襖や室内障子がガタ付くなどの問題が発生し、居住環境を改善するために高い精度で鴨居および敷居のガイド溝側面と襖や室内障子との隙間をなくし、かつガタつき（振動エネルギー）を吸収できるものが望まれている。
【０００３】
たとえばアルミ障子などの可動障子において、鴨居レールの内側面に対する間隙量を任意に調整できるようにした振れ止め金具として、たとえば特許文献１には、室内障子の上端面に対して設けられ鴨居レールに対して係合する振れ止め金具が開示されている。この振れ止め金具は、室内障子に対する取付部を含む基体と、この基体に対し鴨居レールの直交方向に対面配置で設けられた一対の振れ止め片と、これら一対の振れ止め片の間に配置され、かつ前記基体にネジ部が螺着して設けられた拡縮調整ボルトとからなり、前記拡縮調整ボルトの頭部または基体より貫通突出しているネジ部が前記一対の振れ止め片の対面壁に対して接当し、前記拡縮調整ボルトの螺進／螺退により前記一対の振れ止め片が鴨居レールの直交方向に拡縮自在となっている。そして、調整精度を上げるため、前記一対の振れ止め片において、拡縮調整ボルトが接当する対面面がテーパー面とすることが提案されている。
【０００４】
また、特許文献１には、室内障子の上端面に対して設けられ鴨居レールに対して係合する振れ止め金具として、室内障子に対する取付部を含む基体と、この基体に対し鴨居レール方向に移動可能に装着され、かつ両側部に振れ止め片を有するとともに、この振れ止め片の先端が前記基体の一部に対して当接状態で係合している振れ止めピースと、前記基体の一部を貫通して設けられネジ部が前記振れ止めピースに螺合して設けられた引き込み調整ボルトとからなり、前記引き込み調整ボルトの回転により前記振れ止めピースが鴨居レール方向に移動され前記振れ止め片が側方に膨出／収縮自在となっている。
【０００５】
特許文献１に開示された振れ止め金具は、いずれも基体または振れ止めピースに対して、鴨居レールの上壁に付勢して接当する弾発片を設けることで外れ止めの機能を付加することができる。
【０００６】
また、特許文献２には、他の部屋のドアーの開け閉め時に発生する風圧により襖の振動で振音が出ないようにすることを目的として、スプリングの力で回転するアームの両端にベアリングを取付、ベアリングが鴨居の溝両側面に当たり、スプリングの力で振動を緩和して振音を出さないように、襖１枚に対して二カ所以上に設けられる振動防止装置が開示されている。
【０００７】
一方、図４〜５に示されるような、襖も従来より知られている。このものは、本体Ｐの周囲を取り囲むように設けられる１対の垂直框Ｖと、下部水平框ＨＬと、上部水平框ＨＵとから構成されており、垂直框Ｖの上端および下端の開口を塞ぐためのコーナーピース７が設けられている（図４参照）。そして、図５（ａ）には、水平框Ｈに断面凸上の溝Ｇが設けられた状態が示されている。図５（ｂ）は溝Ｇに設けられた摺動子８と該摺動子８に設けられたモヘヤ９が示されている。このモヘヤ９が振れ止めとして機能している。
【０００８】
【特許文献１】特開平１０−２７３９８８号公報
【特許文献２】特開２００３−０１３６５８号公報
【考案の開示】
【考案が解決しようとする課題】
【０００９】
しかしながら、叙上の特許文献１の障子の振れ止めは、部品点数が多く、そのうえ構造が複雑になるという問題がある。また、図４〜５に示される従来の引き戸の場合、上部水平框に溝を設ける必要があり、上部および下部水平框を共通化することができないので、引き戸の製造コストが高くなるという問題がある。
【００１０】
本考案の引き戸の振れ止め具は、かかる従来の問題を解消し、部品点数が少なく、構造が簡素であり、そのうえ、上部および下部水平框を共通化できる引き戸の振れ止め具を提供することである。
【課題を解決するための手段】
【００１１】
本考案の引き戸の振れ止め具は、引き戸の本体の周囲を取り囲む垂直框と、水平框とで構成され、鴨居のガイド溝に嵌め込まれる引き戸上縁の角において、当該水平框の開口端に少なくとも一部が挿入される水平支持部と、当該垂直框の上部開口端に挿入される垂直支持部とを備えた基部からなり、
前記鴨居のガイド溝の側面と引き戸上縁との間隙をなくし、かつ引き戸の振動エネルギーを吸収するための防振手段が前記基部に設けられてなる
ことを特徴としている。
【００１２】
また、前記防振手段が前記鴨居のガイド溝の側面に向かって延びるバネであることが好ましい。
【００１３】
また、バネが基部と一体的に形成されてなることが好ましい。
【００１４】
また、前記バネ部が板バネであることが好ましい。
【００１５】
また、前記基部がプラスチック製であることが好ましい。
【００１６】
また、前記バネ部が引き戸の表側および裏側に１つずつ設けられてなることが好ましい。
【００１７】
また、前記バネ部が引き戸の表側および裏側に複数個ずつ設けられてなることが好ましい。
【考案の効果】
【００１８】
本考案によれば、部品点数が少なく、構造が簡素であり、そのうえ、上部および下部水平框を共通化できる引き戸の振れ止め具を提供することができる。
【考案を実施するための最良の形態】
【００１９】
本考案の引き戸の振れ止め具を添付図面を参照しながら以下に詳細に説明する。
【００２０】
図１は本考案の引き戸の振れ止め具の一例を示す斜図視図、図２は図１の引き戸の振れ止め具が適用される引き戸上縁の角を示す説明図、図３は本考案の引き戸の振れ止め具の他の一例を取り付けた状態の引き戸を敷居と鴨居に嵌め込んだ状態を示す側面説明図である。
【００２１】
図１〜３を参照すると、本実施の形態の引き戸の振れ止め具（以下、「振れ止め具」という）１は、引き戸の本体Ｐの周囲を取り囲む垂直框Ｖと、水平框Ｈとで構成され、鴨居Ｋのガイド溝Ｒ１に嵌め込まれる引き戸上縁の角（図２参照）において、水平框Ｈの開口端に少なくとも一部が挿入される水平支持部６と、垂直框Ｖの上部開口端に挿入される垂直支持部５ａ、５ｂとを備えた基部からなる。
【００２２】
本実施の形態においては、基部は、水平支持部６と垂直支持部５ａ、５ｂとを連結し、水平框Ｈに支持される支持部４ａ、４ｂと、該支持部と一体的に形成された板バネ３ａ、３ｂを支持するバネ支持部２ａ、２ｂとを有している。
【００２３】
本考案の振れ止め具１の場合、支持部４ａ、４ｂは、引き戸の表側および裏側それぞれに２つずつ設けられた舌状の突起であり、図２に示される垂直框Ｖの内面に形成されたリブＶａ、Ｖａの間と、Ｖｂ、Ｖｂの間に嵌め込まれる。
【００２４】
図１を参照すると、板バネ３ａ、３ｂは、引き戸の表側および裏側それぞれに２つずつ設けられるように示されているが、かかる個数に限られることはなく、たとえば引き戸の表側および裏側それぞれに１つずつであっても、２、３または４など複数個ずつ設けてもよい。また、板バネ３ａ、３ｂの材質は、プラスチックでも金属でもよいが、プラスチックを採用すると基部と一体的に成型できるという利点がある。
【００２５】
板バネ３ａ、３ｂは、たとえば圧縮コイルバネや板バネなど振動吸収手段として当業者に知られたものを用いることができ、本考案に含まれる。
【００２６】
水平支持部６は、断面が逆Ｔ字状を呈しており、水平框Ｈ内に形成されたリブＨａ、Ｈａの間および内壁Ｈ１間に嵌め込まれる。また水平支持部６の上面に鋸歯状部６ａを設けると、水平框Ｈ内から抜け難いという利点がある。
【００２７】
しかし、本考案の振れ止め具は図１に示されるものに限られない。前述の従来技術において垂直框Ｖの上端および下端の開口を塞ぐためのコーナーピース７が設けられている（図４参照）が、コーナーピース７にバネ支持部を介して板バネ３ａ、３ｂを設けたものであってもよく（図３参照）。このものも本考案に含まれる。要は、引き戸の上縁の表側および裏側それぞれから鴨居Ｋのガイド溝Ｒ１の両側面Ｋ１およびＫ２に向かって延びるバネ３ａ、３ｂを設けたことが本考案の最大の特徴である。
【００２８】
しかし、図１の振れ止め具１を採用すると、基部の高さ（垂直方向の長さ）を増大させることができ、鴨居Ｋの溝底部Ｋ３（図３参照）との距離を縮めることができるため、敷居Ｓのガイド溝Ｒ２と鴨居Ｋのガイド溝Ｒ１とに嵌め込まれた引き戸を取り外しにくくすることができ、かつ図４および５に示される従来の上部水平框ＨＵの高さ（垂直方向の長さ）より約３ｍｍ高さを低減できるという利点がある。
【００２９】
また、本考案の図１の振れ止め具１を採用すると、図４に示されるような、従来の水平框Ｈのように断面凸上の溝Ｇが設けられたものを用意する必要性がない。そして、一種類の垂直框Ｖと水平框Ｈとをそれぞれ適宜の長さに切断し、垂直框Ｖの下部開口端は従来のコーナーピース７を用いて塞ぎ垂直框Ｖの上部開口端を振れ止め具１によって塞ぐだけでよい。
【００３０】
すなわち、図４および５に示される従来の振れ止め具と比較すると、上部水平框Ｈに断面凸上の溝Ｇを設ける必要がない、摺動子８にモヘヤ９を設ける必要がなくなり（モヘヤを切断加工する必要もない）、摺動子８を溝Ｇに嵌め込む必要がないという利点がある。
【図面の簡単な説明】
【００３１】
【図１】本考案の引き戸の振れ止め具の一例を示す斜図視図である。
【図２】図１の引き戸の振れ止め具が適用される引き戸上縁の角を示す説明図である。
【図３】本考案の引き戸の振れ止め具の他の一例を取り付けた状態の引き戸を敷居と鴨居に嵌め込んだ状態を示す側面説明図である。
【図４】従来の引き戸の一例を示す説明図である。
【図５】上部水平框の断面説明図である。
【符号の説明】
【００３２】
１    振れ止め具
２ａ  バネ支持部
２ｂ  バネ支持部
３ａ  バネ
３ｂ  バネ
４ａ  支持部
４ｂ  支持部
５ａ  垂直支持部
５ｂ  垂直支持部
６    水平支持部
７    コーナーピース
Ｈ    水平框
Ｈａ  リブ
Ｋ    鴨居
Ｒ１  ガイド溝
Ｒ２  ガイド溝
Ｓ    敷居
Ｖ    垂直框
Ｖａ  リブ
Ｖｂ  リブ
【図１】
0003113199.tif 000003
【図２】
0003113199.tif 000004
【図３】
0003113199.tif 000005
【図４】
0003113199.tif 000006
【図５】
0003113199.tif 000007